(57)【要約】【課題】蚕の繭の表面にある細かい皺や、凹凸を有する性状及び絹独特な肌触りを利用して、顔や皮膚の汚れまたは化粧落し用クリーナーとして使用する。【解決手段】繭の表面には細かい皺や凹凸があり、絹特有の優れた肌触りもあることに着目した。更に繭の一部を切断して開口させ、その縁から繭の表面に切り込みを設けた構造とすれば、繭の大きさや指先の太さにばらつきがあって、誰でも容易に指先を挿入することができるとの知見により、実用可能な皮膚の汚れや化粧を落とすクリーナーとして使用できるとの知見が得られた。【選択図】図２
0003139800.tif 000002
【実用新案登録請求の範囲】
【請求項１】
蚕の繭の一部を切断して開口させ、そのまま又はその開口部分の縁から、或いは更に繭の表面に切り込みを設け、繭の開口部分から内部に指先を挿入して使用できる、顔や皮膚の汚れまたは化粧落し用クリーナー。
【請求項２】
繭の中で絹糸を膠着しているセリシンの一部または全部が除去された、又は絹糸が一部取り出されて絹糸層が薄くなっている、請求項１記載の顔や皮膚の汚れまたは化粧落し用クリーナー。
【請求項３】
繭が含水状態であり／又は繭が裏返された形態である、請求項１または２記載の顔や皮膚の汚れまたは化粧落し用クリーナー。
【考案の詳細な説明】
【技術分野】
【０００１】
本考案は顔や皮膚を拭いてその汚れまたは、化粧落しに使用するためのクリーナーまたはパフに関するものである。
【背景技術】
【０００２】
顔や皮膚の汚れまたは化粧落しに使用するクリーナーやパフはよく知られている。しかし、繭をそのまま使用してもその表面の細かい皺や凹凸によって、顔や皮膚の汚れまたは化粧落し用のクリーナーまたはパフとしての効果があることや、且つ使用する時肌触りがよい絹特有の感触によってその効果が一層高められることについては、今まで全く注目されていなかった。また、繭の表面を直接パフまたはクリーナーとして使用することに関する特許文献は知られていない。
【考案の開示】
【考案が解決しようとする課題】
【０００３】
蚕の繭の表面は細かい皺や凹凸を有する特有な性状を有すること、更に絹の独特な肌触りと柔らかいが少しざらざらした表面形状に注目した。繭の表面のこのような性質を利用して、顔や皮膚の汚れまたは化粧落し用クリーナーとして利用しようとするものである。
【課題を解決するための手段】
【０００４】
今まで顔や皮膚の汚れまたは化粧落しに使用する、パフまたはクリーナーは以前から数多く知られていた。しかし、その素材として蚕の繭の一部を切り落として、その開口部に指先を直接差し込み繭の表面で直接顔や皮膚を擦って、その表面の汚れまたは化粧落しの道具として使用することは今まで知られていなかった。
【０００５】
繭の表面には細かい皺や凹凸があり、また、柔らかなザラザラした触感を有するため、顔や皮膚を拭くことによって皮膚の汚れまたは化粧落しのクリーナーとして、パフのように使用することができることを発見した。このために繭の一部を切断して開口させ、そのまま又は更にその開口の縁から、或いは更に繭の表面に切り込みを設けた構造とすれば、繭や指の大きさのばらつきがあっても、誰でも容易に指先を挿入することができる。これらの手段によって、実用的に使用可能な皮膚の汚れや化粧を落とすクリーナーとして使用できるとの着想が得られた。
【０００６】
更に、天然の繭のままでは表面が少し硬い感じで、微小な皺と凹凸のため少しザラザラした触感がある。しかし、繭を弱アルカリ性の水溶液例えば、希薄な炭酸ソーダ或いは炭酸カリウム等の水溶液中で加熱すれば、繭の中の絹糸（フィブロイン）を膠着しているセリシンが溶出するため、繭の表面の感触が柔かくなる。この結果、パフまたは皮膚の汚れを除去するクリーナーに適した感触となる。このような処理によって繭の中で絹糸を膠着していたセリシンの一部または全部が除去されて、表面の硬さやザラザラした触感が和らげられ、心地よい絹の感触が一層高められる。このため繭を顔や皮膚の汚れや化粧を落とすクリーナーとして使用した場合、絹特有な感触を有するクリーナーとして充分な実用性を有するものである。
【０００７】
或いは、繭から絹糸の一部を除去して絹糸層が薄くなっている繭も、顔や皮膚の汚れや化粧を落とすクリーナーとして使用できる。または、繭は吸水性があり水を含有させることによって一層柔らかくなる。特に繭の表面を柔らかくするために、前記のように希薄なアルカリ性の水溶液例えば、希薄な炭酸ソーダ或いは炭酸カリウムの水溶液中で加熱処理した繭、或いは繭から絹糸の一部を取り出して絹糸として利用した後の、絹糸層が薄くなっている繭も、吸水性が一層高く柔らかい感触も高められているため好適である。これは絹糸を取り出す過程で絹糸層を膠着しているセリシンが抽出されているためである。
【０００８】
更に、このような処理をした繭は全体が柔らかくなっているため、その表裏を裏返すことが容易であり、繭の表面を使用した後裏返された繭の裏面でも同様に顔や皮膚の汚れや化粧を落とすクリーナーとして使用可能である。これらの知見に基づいて本考案に到達した。
【０００９】
すなわち、蚕の繭の一部を切断して開口させ、そのまま又はその開口部分の縁から、或いは更に繭の表面に切り込みを設け、繭の開口部分から内部に指先を挿入して使用できる、顔や皮膚の汚れまたは化粧落し用クリーナーである。
【００１０】
または、繭の中で絹糸を膠着しているセリシンの一部または全部が除去された、又は絹糸が一部取り出されて絹糸層が薄くなっている、前項記載の顔や皮膚の汚れまたは化粧落し用クリーナーである。
【００１１】
更に、繭が含水状態であり／又は繭が裏返された状態である、前項または前々項記載の顔や皮膚の汚れまたは化粧落し用クリーナーである。
【００１２】
ここで、請求項２に関する前記［００１０］の、「繭の中で絹糸を膠着しているセリシンの一部または全部が除去された」なる記載は、表面的には方法に関する要件と解されるおそれもある。しかし、本件請求項２における「繭の中で絹糸を膠着しているセリシンの一部または全部が除去された、─  化粧落し用クリーナー」の趣旨は、繭のセリシンを除去すると繭が軟らかくなり、表面の皺、凹凸等の表面形状及び光沢、触感等、クリーナーとして使用する場合の繭の重要な性状が除去前とは明らかに異なっている。この「新規な性状を有する繭を使用したクリーナー」を意味するものである。
【００１３】
しかし、このようにセリシン除去前とは異なった表面形状等を有する繭を表現する適当な記載方法がないため、表現の手段として請求項において「繭の中で絹糸を膠着しているセリシンの一部または全部が除去された  ─  クリーナー」と、表現したものである。従って、請求項に含まれる実質的な要件として、方法に関する要件を含ませる趣旨ではない。
【００１４】
尚、請求項３における「繭が含水状態であり」も同様に、方法に関する要件を含める趣旨ではない。水分を含有させると繭が軟らかくなり表面の皺、凹凸等の形状、光沢、触感、クリーナーとして使用した場合の効果等も含水前とは明らかに異なっている。このような新規な繭の性状を表現する適当な手段がないため、このように表現したものである。請求項に含まれる実質的な要件として、方法に関する要件を含ませる趣旨ではない。
【考案の効果】
【００１５】
蚕の繭の表面を利用して直接顔や汗、埃等直接皮膚の汚れを拭きとることができる他、化粧落し用にも使用できる。絹特有の柔らかい肌触りを有するため使用者に好感をもたれる点でも特徴がある。
【考案を実施するための最良の形態】
【００１６】
以下実施例を挙げて、本考案の好ましい態様を説明する。
【実施例１】
【００１７】
図１に本考案の顔や皮膚の汚れまたは化粧落し用クリーナーの原料である、蚕の繭の正面図及びクリーナーに使用する場合の切断線を示す。図２には繭を切断した開口部分と、その縁から繭の長さ方向へ数ケ所の切り込みを設けた態様を、更に図３には開口部分の縁から繭の長さ方向への数ケ所の切り込み線及び、その切り込み線と交わるように繭の表面にも切り込み線を設けた、本考案のクリーナーの態様を示す。
【００１８】
繭はそのままの状態では表面が薄い疎な真綿で覆われているが、真綿は容易に取り除くことができ、繭の表面が露出する。表面には細かい皺や凹凸があり指を触れると絹特有な肌触りと少しざらざらした感触を有する。繭のこの性質を利用して、顔や皮膚の汚れまたは化粧落し用のクリーナーとして使用することができる。
【００１９】
繭は図１に示すように長さ方向の断面がほぼ楕円形であり、横方向の断面はほぼ円形である。このため繭を長さ方向に直角或いは斜めに切断すれば、切り口は略円形または楕円形となる。繭の内部から蛹（サナギ）を取り出した後、繭の開口部から指先を挿入して、繭の表面で顔或いは皮膚を軽く擦れば、皮膚の汚れまたは化粧を落とす効果がある。
【００２０】
この際更に繭の大きさのばらつき、切り口の大きさやその形状のばらつき、さらには使用者の指の大きさに適用するため、図２及び図３に示すように開口部の縁から繭の長さ方向に、或いは繭の表面のその他の部分に切り込みが設けられている。このような構造にすれば、繭の開口部の大きさや使用者の指の太さにばらつきがあっても、誰でも容易に指先を挿入することが可能となり、クリーナーとして一層使用し易くなる。
【実施例２】
【００２１】
繭の表面には小さな皺や凹凸があるため、少しザラザラした感じがする場合がある。このような場合、繭を柔らかくするため弱アルカリ性を有する、希薄な炭酸ナトリウム或いは炭酸カリウムの水溶液中で加熱すれば、繭の中で絹糸（フィブロイン）を膠着しているセリシンが溶出する。繭に含まれるセリシンの50〜80％を溶出した後、充分水洗して繭に付着している炭酸ナトリウム或いは炭酸カリウムを除去した後、乾燥した。その結果、繭の表面の感触が著しく柔かくなり、パフまたは皮膚の汚れを除去するクリーナーにより適した感触となった。
【実施例３】
【００２２】
繭は含水性があり、含水させると繭の表面が著しく柔らかくなる。このため、よりパフまたは皮膚の汚れを除去するクリーナーにより適した感触となった。更に、前記実施例２で得られたセリシンを除去した繭は、吸水性が一層高くなっているため含水させた場合には表面が一層柔らかくなり、パフまたは皮膚の汚れを除去するクリーナーにより適した感触となった。また、含水させた繭は表裏を裏返すことも容易となるため、表側を使用した後裏返して裏側も使用することができる。
【産業上の利用可能性】
【００２３】
蚕の繭の一部を切断して開口させ、その内部に指先を挿入して直接繭の表面で顔や皮膚を拭くことによって、顔や皮膚の汚れまたは化粧落し用クリーナーとして使用することができる。良質の繭の他、品質不良の繭或いは良質の繭から絹糸を取り出した後の、薄くなって廃棄される繭等も使用できるメリットがある。
【図面の簡単な説明】
【００２４】
【図１】本考案の顔や皮膚の汚れまたは化粧落し用クリーナーの原料である繭の正面図とその切断線を示す。
【図２】本考案の顔や皮膚の汚れまたは化粧落し用クリーナーの一態様の斜視図を示す。
【図３】本考案の顔や皮膚の汚れまたは化粧落し用クリーナーのその他の一態様の斜視図を示す。
【符号の説明】
【００２５】
1   繭
2   繭の切断線
3   繭の開口部分の縁
4   繭の開口の縁からの切断線
5   繭の表面の切断線
【図１】
0003139800.tif 000003
【図２】
0003139800.tif 000004
【図３】
0003139800.tif 000005